(57)【要約】  【課題】中子を損傷することなく保護しつつ容易に運搬できる中子保護部材、中子保護具、及び中子保護方法を提供することを目的とする。  【解決手段】中子保護部材１０を、弾性部材から形成され、運搬ケース１４の内面に当接される当接面１６と、中子１８を収納する収納部２０とを備えている。中子保護具１２は、中子保護部材１０と、中子保護部材１０を挿入する運搬ケース１４とを備えて構成した。中子保護部材１０の材質は、紙廃棄物、樹脂廃棄物、又は木材廃棄物の中の二の廃棄物の組合せ又は三の廃棄物を混合し再生して形成された弾性部材である。  【選択図】  図１
2008036644.tif 000002
【特許請求の範囲】
【請求項１】
弾性部材から形成され、運搬ケースの内面に当接される当接面と、中子を収納する収納部とを備えた中子保護部材。
【請求項２】
前記収納部が、中空形成部及び幅木部を有する中子の該幅木部を当接させて支持する支持部を備えた請求項１に記載する中子保護部材。
【請求項３】
前記収納部が、収納された中子の中空形成部の下部に位置し、該中空形成部に近接する近接棚を備えた請求項１又は請求項２に記載する中子保護部材。
【請求項４】
廃棄物を再生して形成された請求項１〜請求項３のいずれかに記載する中子保護部材。
【請求項５】
紙廃棄物、樹脂廃棄物、又は木材廃棄物の中の二の廃棄物の組合せ又は三の廃棄物を混合し再生して形成された請求項１〜請求項４のいずれかに記載する中子保護部材。
【請求項６】
請求項１〜請求項５のいずれかに記載する中子保護部材と、該中子保護部材を挿入する運搬ケースとを備えた中子保護具。
【請求項７】
複数個積み上げることが可能であり、運搬ケースが、複数個積み上げた時に上部側の他の運搬ケースに係合する凸部又は凹部を備え、下部側の他の運搬ケースに係合する凹部又は凸部を備えた請求項６に記載する中子保護具。
【請求項８】
前記請求項６又は請求項７に記載する中子保護具の中子保護部材に中子を収納して保護する中子保護方法。
【発明の詳細な説明】
【技術分野】
【０００１】
本発明は、金属部品等の成形において中空部を形成するための中子を運搬するための中子保護部材、中子保護具、及び、中子保護方法に関する。
【０００２】
従来から、エンジンの金属部品等の成形において流体経路等の中空部を形成するために、中子が用いられている。この中子は、砂等から形成されているため、強度的に脆いため、ウレタン等に包んだ状態でプラスチックケースに入れて運搬していた。また、搬入された中子を外型内にセットする作業者は、ウレタン等を取り除いて作業台上に中子を一旦載置した後にセットしていた。ここで、中子を保管する自動倉庫から中子を供給するシステムについて案出されている（例えば、特許文献１参照。）。このシステムの場合、バケット内の板の上に中子を載置して運搬する。しかし、このシステムの場合、中子を板の上に載置するのみであるので、強度的に脆い中子を保護する手段を考慮する必要がある。
【０００３】
【特許文献１】特開平８−２８１３７８号公報
【発明の開示】
【発明が解決しようとする課題】
【０００４】
そこで、本発明者は、このような課題の原因を究明してこのような課題を解決するべく、鋭意研究を重ねた結果、本発明に至ったのである。
【０００５】
すなわち、本発明は、中子を損傷することなく保護しつつ容易に運搬できる中子保護部材、中子保護具、及び中子保護方法を提供することを目的とする。
【課題を解決するための手段】
【０００６】
本発明の中子保護部材は、弾性部材から形成され、運搬ケースの内面に当接される当接面と、中子を収納する収納部とを備えたことを特徴とする。
【０００７】
また、前記中子保護部材において、前記収納部が、中空形成部及び幅木部を有する中子の該幅木部を当接させて支持する支持部を備えたことを特徴とする。
【０００８】
また、前記中子保護部材において、前記収納部が、収納された中子の中空形成部の下部に位置し、該中空形成部に近接する近接棚を備えたことを特徴とする。
【０００９】
また、前記中子保護部材において、廃棄物を再生して形成されたことを特徴とする。
【００１０】
また、前記中子保護部材において、紙廃棄物、樹脂廃棄物、又は木材廃棄物の中の二の廃棄物の組合せ又は三の廃棄物を混合し再生して形成されたことを特徴とする。
【００１１】
また、本発明の中子保護具は、中子保護部材と、該中子保護部材を挿入する運搬ケースとを備えたことを特徴とする。
【００１２】
また、前記中子保護具において、複数個積み上げることが可能であり、運搬ケースが、複数個積み上げた時に上部側の他の運搬ケースに係合する凸部又は凹部を備え、下部側の他の運搬ケースに係合する凹部又は凸部を備えたことを特徴する。
【００１３】
また、本発明の中子保護方法は、前記中子保護具の中子保護部材に中子を収納して保護することを特徴とする。
【発明の効果】
【００１４】
本発明の中子保護部材、中子保護具、及び中子保護方法によれば、弾性を有する中子保護部材内に収納して保護することができる。このため、ウレタン等に包む必要がなく、運搬作業効率を向上させることができる。また、搬入された中子を外型内にセットする作業者は、中子を中子保護部材から取り出してそのまま外型内にセットすることができ、ウレタン等を取り除いて作業台上に中子を一旦載置した後にセットする必要がない。また、廃棄物を再生して中子保護具を形成した場合には、環境保護に寄与できる。
【発明を実施するための最良の形態】
【００１５】
次に、本発明に係る中子保護部材、中子保護具、及び中子保護方法の実施形態について、図面に基づいて詳しく説明する。図１〜図５において、符号１０は本発明の中子保護部材であり、符号１２は本発明の中子保護具である。本明細書において、符号を１８とした場合、１８（１）〜１８（４）を含む。他の符号についても、同様である。
【００１６】
本発明の中子保護部材１０は、弾性部材から形成され、運搬ケース１４の内面に当接される当接面１６と、中子１８を収納する収納部２０とを備えている。中子保護具１２は、中子保護部材１０と、中子保護部材１０を挿入する運搬ケース１４とを備えて構成される。
【００１７】
中子保護部材１０の材質は、紙廃棄物、樹脂廃棄物、又は木材廃棄物の中の二の廃棄物の組合せ又は三の廃棄物を混合し再生して形成された弾性部材（商品名はパルクボードであり、「パルクボード」は登録商標である。）である。廃棄物を再生して形成しているため、環境保護に寄与できる。収納する中子１８は例えば２００℃の高温であるため、中子保護部材１０は高温の中子１８を収納しても燃焼しないような材質から形成されている。当接面１６は、中子保護部材１０の周囲全体に渡って折り返した形状に設けられている。折り返した形状等、立体的な形状とすることにより、高温の中子１８を収納しても、変形し難くなっている。また、手を入れて中子１８を取り出しやすいように、開口部４０が設けられている。なお、角部４２は、中子１８を損傷しないように、湾曲形状に構成されている。
【００１８】
この中子保護部材１０の製造方法を図６に従って説明する。まず、紙廃棄物、樹脂廃棄物、又は木材廃棄物等の各廃棄物毎に、破砕され粉砕されてストックされる。次に、ストックした複数の廃棄物がミキシングタンクで混合されて供給ホッパーへ送られ、供給ホッパーからは予備圧縮機に送られ積層余熱される。その後、成形部で熱プレスされ厚みが調整される。そして、冷却された後、寸法切り装置で所定の寸法に切り揃えられて完成する。
【００１９】
収納部２０は、４個の中子１８（１）〜１８（４）を収納できるように、４箇所の保持部２２（１）〜（４）から構成されている。各保持部においては、中空形成部２４及び幅木部２６を有する中子１８の幅木部２６を当接させて支持する支持部２８と、収納部２０に支持された中子１８の中空形成部２４の下部に位置し、中空形成部２４に近接する近接棚３０を備えている。例えば、保持部２２（１）の場合、図１及び図２に示すように、幅木部２６（１）を支持する支持部２８（１）と、中空形成部２４（１）に近接する近接棚３０（１）とを備えている。保持部２２（２）〜２２（４）については、図示を省略する。支持部２８は、図２に示すように、幅木部２６をはめ込んで位置決めできる。図５に示す中空形成部２４と近接棚３０との間の隙間ｈは、０．１ｍｍ〜１０ｍｍである。
【００２０】
運搬ケース１４は、上端４箇所に凹部３２を、下端４箇所に凸部３４を備えている。また、上端に２本の凸部３６を、下端に２本の凹部３８を備えている。複数個積み上げた時に、中子１８が上部側の他の運搬ケース１４に干渉しないように、運搬ケース１４の縁枠３６の上端は、収納した中子１８の上端よりも高くなるように構成されている。運搬ケース１４は、弾性を有する中子保護部材１０を保護できる樹脂等の材質から形成される。
【００２１】
次に、以下に、このような中子保護部材１０及び中子保護具１２について説明することにより、本発明の中子保護方法について説明する。
【００２２】
中子保護具１２を使用して中子１８を運搬する場合、図７に示すように、中子保護部材１０を運搬ケース１４に入れる。この時、中子保護部材１０の周囲の４個の当接面１６が運搬ケース１４の内面に当接され、中子保護部材１０の運搬ケース１４に対する位置関係が変わることがない。次に、この状態で、中子１８を中子保護部材１０に入れる。中子１８（１）は保持部２２（１）に保持され、中子１８（２）は保持部２２（２）に保持され、中子１８（３）は保持部２２（３）に保持されるが、中子１８（１）は中子１８（２）及び１８（３）の上に干渉しないように一部において重ね合わされる。中子１８（１）の幅木部２６（１）は支持部２８（１）に当接されて支持される一方で、中空形成部２４（１）は近接棚３０（１）から隙間ｈだけ浮くこととなる。このため、中空形成部２４（１）に当接することなく支持でき、製品部分を成形する中空形成部２４（１）が破損するのを防止できる。一方、仮に、衝撃等によって中子１８（１）の幅木部２６（１）が破損しても、中空形成部２４（１）は近接棚３０（１）上に当接して支持される。しかも、隙間ｈは微小であるため、中空形成部２４（１）が当接される時に破損することがない。
【００２３】
このようにして中子１８を中子保護具１２に収納した状態で、運搬するために、一旦、図８に示すように、積み上げられる。この時、図９及び図１０に示すように、複数個積み上げた時に、凹部３２は上部側の他の運搬ケース１４の凸部３４に係合し、凸部３４は下部側の他の運搬ケース１４の凹部３２に係合するとともに、凸部３６は上部側の他の運搬ケース１４の凹部３８に係合し、凹部３８は下部側の他の運搬ケース１４の凸部３６に係合する。このため、中子保護具１２同志の位置関係がＸ軸及びＹ軸方向において変わることなく、安定した状態に積み上げることができる。このように中子１８を中子保護部材１０及び中子保護具１２に収納して積み上げられた状態から、トラック等によって運搬される。また、トラック内においても、同様に積み上げられる。
【００２４】
以上、本発明の一実施形態について説明したが、本発明は上述の実施形態には限定されない。
【００２５】
例えば、中子保護具１２の運搬ケース１４において、図１１に示すように、左右の中子保護具１２と係合する係合凸部４４、及び前後の中子保護具１２と係合する係合凸部４６を備えてもよい。この係合凸部４４及び４６を備えることにより、前後左右に並べた中子保護具１２との位置関係が変わるのを防止できる。
【００２６】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２７】
本発明の中子保護部材、中子保護具、及び中子保護方法によれば、弾性を有する中子保護部材内に収納して保護することができる。このため、中子の運搬、保管等のために広く利用できる。
【図面の簡単な説明】
【００２８】
【図１】本発明の中子保護部材及び中子保護具の平面図である。
【図２】図１の中子保護部材及び中子保護具のＡ−Ａ線切断部断面図である。
【図３】図１の中子保護部材及び中子保護具の正面図である。
【図４】図１の中子保護部材及び中子保護具の正面図である。
【図５】図１の中子保護部材及び中子保護具のＢ−Ｂ線切断部断面図である。
【図６】図１の中子保護部材の製造方法を説明するためのフローチャート図である。
【図７】図１の中子保護部材及び中子保護具の使用状態を示す正面図である。
【図８】図１の中子保護部材及び中子保護具の使用状態を示す正面図である。
【図９】図１の中子保護部材及び中子保護具の使用状態を示す側面図である。
【図１０】図１の中子保護部材及び中子保護具の使用状態を示す正面図である。
【図１１】本発明の中子保護部材及び中子保護具の他の実施形態を示す平面図である。
【符号の説明】
【００２９】
１０：中子保護部材
１２：中子保護具
１４：運搬ケース
１６：当接麺
１８（１）、１８（２）、１８（３）、１８（４）：中子
２０：収納部
２２（１）、２２（２）、２２（３）、２２（４）：保持部
２４（１）、２４（２）、２４（３）、２４（４）：中空形成部
２６（１）、２６（２）、２６（３）、２６（４）：幅木部
２８（１）、２８（２）、２８（３）、２８（４）：支持部
３０（１）：近接棚
３２：凹部
３４：凸部
３６：凸部
３８：凹部
【図１】
2008036644.tif 000003
【図２】
2008036644.tif 000004
【図３】
2008036644.tif 000005
【図４】
2008036644.tif 000006
【図５】
2008036644.tif 000007
【図６】
2008036644.tif 000008
【図７】
2008036644.tif 000009
【図８】
2008036644.tif 000010
【図９】
2008036644.tif 000011
【図１０】
2008036644.tif 000012
【図１１】
2008036644.tif 000013